(57)【要約】【課題】送電線のジャンパー部に絶縁防護管を被嵌させたものにおいて、落雷による地短絡事故が発生してもジャンパー部の溶損を防止することができる送電線装置を提供する。【解決手段】送電線支持塔柱から突設されたアームに碍子連結部材を介して取り付けられた電源側碍子および負荷側碍子と、電源側碍子および負荷側碍子にそれぞれ取り付けられた電源側送電線支持金具および負荷側送電線支持金具と、電源側送電線支持金具および負荷側送電線支持金具によって支持された送電線と、該送電線における電源側送電線支持金具と負荷側送電線支持金具間のジャンパー部に被嵌され絶縁材によって形成された絶縁防護管とを具備する送電線装置であって、ジャンパー部の電源側の端部に設けられ負荷側に延びる導電性材料からなるアーク誘導部材を備えている。【選択図】        図１
2004282945.tif 000002
【特許請求の範囲】
【請求項１】
送電線支持塔柱から突設されたアームに碍子連結部材を介して取り付けられた電源側碍子および負荷側碍子と、該電源側碍子および該負荷側碍子にそれぞれ取り付けられた電源側送電線支持金具および負荷側送電線支持金具と、該電源側送電線支持金具および該負荷側送電線支持金具によって支持された送電線と、該送電線における該電源側送電線支持金具と該負荷側送電線支持金具間のジャンパー部に被嵌され絶縁材によって形成された絶縁防護管と、を具備する送電線装置において、
該ジャンパー部の電源側の端部に設けられ負荷側に延びる導電性材料からなるアーク誘導部材を備えている、
ことを特徴とする送電線装置。
【請求項２】
該アーク誘導部材は、該ジャンパー部と該絶縁防護管との間に配設された複数の線材を折り曲げ形成されている、請求項１記載の送電線装置。
【発明の詳細な説明】
【０００１】
【発明の属する技術分野】
本発明は、電力輸送用の送電線装置、更に詳しくは落雷した際に、送電線のジャンパー部が溶損するのを防止することができる送電線装置に関する。
【０００２】
【従来の技術】
電力輸送用の送電線は地上に設置された送電線支持塔柱によって支持されている。送電線支持塔柱によって送電線を支持する代表的な支持装置について、図４を参照して説明する。送電線支持塔柱２はアングル材等によって構成されており、この送電線支持塔柱２には上下方向に所定の間隔をおいて水平方向に延びるアーム３が取り付けられている。アーム３に片側（図４において左側）には電源側碍子連結部材４ａによって電源側碍子５ａが取付けられており、アーム３に他側（図４において右側）には負荷側碍子連結部材４ｂによって負荷側碍子５ｂが取付けられている。電源側碍子５ａおよび負荷側碍子５ｂにはそれぞれ電源側送電線支持金具６ａおよび負荷側送電線支持金具６ｂが取り付けられており、この電源側送電線支持金具６ａおよび負荷側送電線支持金具６ｂに送電線７が挿通され支持される。
【０００３】
上記のように構成された送電線支持装置には、送電線支持塔柱２のアーム３取付部等にカラス等の鳥類が営巣することが多い。送電線支持塔柱２に営巣するだけであれば大きな問題はないが、都市部では樹木等の巣材が少なくなっているため、金属製のハンガー等を利用して巣を作るカラスが多い。金属製のハンガー等は導電性であるため、これらの巣材が上記送電線７における電源側送電線支持金具６ａと負荷側送電線支持金具６ｂ間のジャンパー部７ａに接触して相関短絡もしくは地絡事故といった電気故障を引き起こす要因となる。カラスは翼を広げると１ｍ以上となる例も多く、巣から飛び立つ際に翼を広げたときジャンパー部７ａに接触して上述した電気故障を引き起こすことがある。
【０００４】
上述したような送電線７のジャンパー部７ａに営巣材やカラスが接触することにより発生する電気故障を防止する対策として、ジャンパー部７ａに絶縁材によって形成された絶縁防護管８を被嵌することが実施されている。このようにジャンパー部７ａに絶縁防護管８を被嵌することによって、ジャンパー部７ａに営巣材やカラスが直接接触することがなくなり、上記電気故障の発生が防止された。
【０００５】
【発明が解決しようとする課題】
而して、送電線７のジャンパー部７ａに絶縁防護管８を被嵌することによって、落雷による地短絡事故時において、絶縁防護管８の端部付近で短絡電流によるアーク熱によってジャンパー部７ａが溶損するという新たな問題が発生することが判った。即ち、落雷による地短絡事故によって発生した短絡電流は、送電線支持塔柱２に取り付けられたアーム３と送電線７のジャンパー部７ａ間をアーク放電状態で、フレミングの左手の法則によりアークの電線側端がジャンパー部７ａを電源側から負荷側へ移動していき、絶縁防護管８の端部まで達すると、その部分にアークが固定されるため、アークによるジュール熱でジャンパー部７ａが溶損せしめられる。
【０００６】
本発明は上記事実に鑑みてなされたもので、その主たる技術課題は、送電線のジャンパー部に絶縁防護管を被嵌させたものにおいて、落雷による地短絡事故が発生してもジャンパー部の溶損を防止することができる送電線装置を提供することにある。
【０００７】
【課題を解決するための手段】
本発明によれば、上記技術的課題を解決するために、送電線支持塔柱から突設されたアームに碍子連結部材を介して取り付けられた電源側碍子および負荷側碍子と、該電源側碍子および該負荷側碍子にそれぞれ取り付けられた電源側送電線支持金具および負荷側送電線支持金具と、該電源側送電線支持金具および該負荷側送電線支持金具によって支持された送電線と、該送電線における該電源側送電線支持金具と該負荷側送電線支持金具間のジャンパー部に被嵌され絶縁材によって形成された絶縁防護管と、を具備する送電線装置において、
該ジャンパー部の電源側の端部に設けられ負荷側に延びる導電性材料からなるアーク誘導部材を備えている、
ことを特徴とする送電線装置が提供される。
【０００８】
上記アーク誘導部材は、上記ジャンパー部と上記絶縁防護管との間に配設された複数の線材を折り曲げ形成されていることが望ましい。
【０００９】
【発明の実施の形態】
以下、本発明に従って構成された送電線装置の好適実施形態を図示している添付図面を参照して、更に詳細に説明する。
【００１０】
図１には、本発明に従って構成された送電線装置の一実施形態の正面図が示されている。なお、図１の実施形態においては、上記図４に示す送電線装置を構成する部材と同一部材には同一符号を付して、その詳細な説明は省略する。
図１に示す実施形態における送電線装置は、送電線７のジャンパー部７ａにおける電源側端部（図１において左端部）に負荷側（図１において右側）に向けて延びる導電性材料からなるアーク誘導部材１０を備えている。このアーク誘導部材１０について、図２を参照して説明する。
【００１１】
図２に示すようにアーク誘導部材１０は、送電線７のジャンパー部７ａの外周に装着されている。送電線７のジャンパー部７ａは、図示の実施形態においては複数の素線７１ａが螺旋状に捩じられて形成されている。このジャンパー部７ａの外表面にアーク誘導部材１０を構成する複数の線材１０１が装着される。このアーク誘導部材１０を構成する複数の線材１０１は、ジャンパー部７ａの素線７１ａと同じ導電性材料からなっており、素線７１ａの螺旋に沿って巻き付けられる。このようにしてジャンパー部７ａの外表面にアーク誘導部材１０を構成する複数の線材１０１が装着されたならば、ジャンパー部７ａに複数の線材１０１における電源側（図２において左側）の端部をアーク誘導部１０１ａとして残して絶縁防護管８を被嵌する。なお、絶縁防護管８はアクリル樹脂等の絶縁性樹脂材によって形成されており、図３に示すように長手方向に形成された切れ溝８１１を備えた管本体８１と、該管本体８１に切れ溝８１１に沿って互いに対向して設けられ第１のファスナー部８２と第２のファスナー部８３とからなっている。第１のファスナー部８２には嵌合凸部８２１が設けられ、第２のファスナー部８３には係合凸部８２１を嵌合する嵌合凹部８３１が設けられている。このように構成された絶縁防護管８は、切れ溝８１１を開いて、ジャンパー部７ａの外表面に装着されたアーク誘導部材１０を構成する複数の線材１０１に被嵌し、第１のファスナー部８２の嵌合凸部８２１を第２のファスナー部８３の嵌合凹部８３１に嵌合することにより装着することができる。従って、アーク誘導部材１０を構成する複数の線材１０１は、ジャンパー部７ａと絶縁防護管８との間に配設されることになる。このようにしてジャンパー部７ａに絶縁防護管８を被嵌したならば、アーク誘導部材１０を構成する複数の線材１０１のアーク誘導部１０１ａを図２に示すように負荷側（図２において右側）に折り曲げる。
【００１２】
図示の実施形態における送電線装置は以上のように構成されており、以下、落雷による地短絡事故が発生した際のアーク誘導部材１０の作用効果について説明する。
落雷による地短絡事故によって発生した短絡電流は、送電線支持塔柱２に取り付けられたアーム３と送電線７のジャンパー部７ａ間をアーク放電状態で、フレミングの左手の法則によりアークの電線側端がジャンパー部７ａを電源側から負荷側へ移動していく。そして、アークは絶縁防護管８の端部まで達すると、アーク誘導部材１０を構成する複数の線材１０１のアーク誘導部１０１ａに移動していく。この結果、アーク誘導部１０１ａはその先端部がジュール熱によって溶損するが、アークはジャンパー部７ａに戻らないのでジャンパー部７ａの溶損が防止される。なお、アーク誘導部１０１ａの１本に短絡電流が流れその先端が溶損し短くなると、短絡電流は隣接する線材１０１に移行する。
【００１３】
【実施例】
上記アーク誘導部材１０を構成する複数の線材１０１として直径３．７ｍｍの銅線を用い、アーク誘導部１０１ａの長さを１００ｍｍに構成して、短絡電流を１３ｋＡで０．３０秒印加した。この結果、線材１０１の先端部が４５ｍｍ溶損し、ジャンパー部７ａの溶損はなかった。従って、アーク誘導部１０１ａの長さを１００ｍｍに構成すると、落雷による地短絡事故が２回発生してもジャンパー部７ａを保護することができる。
【００１４】
以上、本発明を図示の実施形態に基づいて説明したが、本発明は実施形態のみに限定されるものではなく、本発明の技術思想の範囲で種々の変形は可能である。例えば、図示の実施形態においては、アーク誘導部材１０を構成する複数の線材１０１によって構成した例を示したが、アーク誘導部材は板材を成形して構成してもよい。
【００１５】
【発明の効果】
本発明による送電線装置は以上のように構成され、送電線のジャンパー部に絶縁防護管が被嵌されたものにおいて、該ジャンパー部の電源側の端部に設けられ負荷側に延びる導電性材料からなるアーク誘導部材を備えているので、落雷による地短絡事故によって発生した短絡電流は、ジャンパー部を電源側から負荷側へ移動し、更にアーク誘導部材に移動してジャンパー部に戻らないので、アーク誘導部材は溶損するがジャンパー部の溶損を防止することができる。
【図面の簡単な説明】
【図１】本発明に従って構成された送電線装置の正面図。
【図２】図１に示す送電線装置における送電線のジャンパー部の要部を示すもので、一部を破断して示す正面図。
【図３】送電線のジャンパー部に装着する絶縁防護管の斜視図。
【図４】従来用いられている送電線装置の正面図。
【符号の説明】
２：送電線支持塔柱
３：アーム
４ａ：電源側碍子連結部材
４ｂ：負荷側碍子連結部材
５ａ：電源側碍子
５ｂ：負荷側碍子
６ａ：電源側送電線支持金具
６ｂ：負荷側送電線支持金具
７：送電線
７ａ：送電線のジャンパー部
７１ａ送電線の素線
８：絶縁防護管
１０：アーク誘導部材
１０１：アーク誘導部材を構成する線材
１０１ａ：アーク誘導部
【図１】
2004282945.tif 000003
【図２】
2004282945.tif 000004
【図３】
2004282945.tif 000005
【図４】
2004282945.tif 000006